(57)【要約】  【課題】  基地局からの通信を受信できない移動局に対しても情報を送ることが可能なデジタル無線システムを提供する。  【解決手段】  基地局３００と複数の移動局３０１，３０２，３０３を有するデジタル無線システムにおいて、基地局３００は複数の移動局の各々から伝達される位置情報から、基地局３００からの情報を受信できない第１の移動局３０２と該第１の移動局３０２に近い第２の移動局３０１とを判定し、第２の移動局３０１に対して一定期間自局の送信周波数を基地局３００の送信周波数に代えて予め決めた情報を第１の移動局３０２に送信するよう指示し、指示を受けた第２の移動局３０１は該情報を第１の移動局３０２に送信することを特徴とする。【選択図】図１
2006086923.tif 000002
【特許請求の範囲】
【請求項１】
基地局と複数の移動局を有するデジタル無線システムにおいて、前記基地局は前記複数の移動局の各々から伝達される位置情報から、前記基地局からの情報を受信できない第１の移動局と該第１の移動局に近い第２の移動局とを判定し、該第２の移動局に対して所定期間自局の送信周波数を前記基地局の送信周波数に代えて予め決めた情報を前記第１の移動局に送信するよう指示し、指示を受けた前記第２の移動局は該情報を前記第１の移動局に送信することを特徴とするデジタル無線システム。
【発明の詳細な説明】
【技術分野】
【０００１】
本発明は、デジタル無線システムにおける通信制御に関するものである。
【背景技術】
【０００２】
図３によって従来のデジタル無線システムの構成を説明する（文献公知発明に係るものではない）。図３に図示したデジタル無線システムは、基地局３００及び移動局３０１，３０２，３０３の２種類の設備で構成され、システムには上り下りペアの無線周波数が割り当てられており、基地局３００から送信される送信波を下り波ｆ１、送信状態にある移動局３０１から送信される送信波を上り波ｆ２と呼ぶ。これら上り下りのペア波を用いて、基地局３００−移動局３０１，３０２，３０３間あるいは基地局３００を経由した移動局３０１，３０２，３０３−移動局３０１，３０２，３０３間の通信を行う。
【０００３】
図３に図示した例は、移動局３０１がプレストークにより、送信状態にあり、移動局３０１から送信された情報が、基地局３００を介して基地ゾーン内にいる他方の受信状態の移動局３０２，３０３に伝達されている様子で、基地局３００は移動局３０１からの上り波ｆ２を受信し、下り波ｆ１にのせかえて送信している。受信中の移動局３０２，３０３から発信することは出来ない。また、基地局３００では全て移動局の位置情報を移動局からの位置情報を元に基地局３００で管理し、一定時間間隔に更新する管理を行っている。
【０００４】
図３中の基地局３００、移動局３０１，３０２，３０３を内包した楕円で囲まれた領域内は、基地局３００の基地ゾーンである。このようなシステムは、ＳＣＰＣ方式（Single Channel Per Carrier）と呼ばれ、１音声チャンネル当たり１搬送波を割り当てる方式であり、方式の標準規格として「狭帯域デジタル通信方式（ＳＣＰＣ／ＦＤＭＡ）標準規格(ＡＲＩＢ  ＳＴＤ  Ｔ−６１)により規定されている。これにより、データのフレームフォーマットや接続手順が決められている。基地局または移動局がプレストークにより標準規格にしたがった接続手順で通話をし、他方の局は受信のみを行い、相手の通話が完了した後に、通話をすることができるデジタル無線システムである。
【０００５】
図３で示したデジタル無線システムに用いられる移動局の音声受信動作を図２によって説明する。図２は、移動局の機能構成を示すブロック図である。受信した信号を復調、解析し、それによって音声受信の認識を持ったシステム制御部１０２は、チャネルコーデック部１０４へ音声受信の指示を出す。
【０００６】
基地局からの音声フレームは、移動局のＲＥ部１０１により変調信号が復調され、変復調部１０３にあるＡ／Ｄ変換器によって数値化され、所定の復調方式で所定の数値列としてチャネルコーデック部１０４に出力される。チャネルコーデック部１０４では、フレーム中の所定位置の数値を音声コーデック部１０５に出力し、音声コーデック部１０５では、入力された数値を音声にデコードし音声入出力部１０６へ出力し、音声入出力部１０６から音声として出力される。
【０００７】
ＬＣＤ表示部２０１は無線機の状態表示や、基地局からのメッセージ表示に使われ、ＬＥＤ表示部２０１はＬＣＤ表示部２０１を補う機能や、無線機の電源状態を点灯、消灯により表示している。キー入力部２０３は無線機の機能の選択や、個別呼出の際に、相手局を選択するのに使われている。ブザー部２０４は喚起音を鳴らすために用いられ、さらに振動モータ２０５によっても無線機の状態を振動で、運用者に知らせている。
【発明の開示】
【発明が解決しようとする課題】
【０００８】
上述したプレストーク方式デジタル無線通信システムでは、同一システムを利用する移動局のうち、時として、基地局が送信状態であっても、受信電界強度が復調できるレベルになく、基地局からの通信を受信できない移動局がある。受信電界強度が復調できるレベルになるような位置に移動できれば、再び基地局からの通信を受信することで、情報を得ることができるが、受信できない状態のままでは、システムの効率上、問題がある。
【０００９】
本発明の目的は、基地局からの通信を受信できない移動局に対しても情報を送ることが可能なデジタル無線システムを提供することにある。
【課題を解決するための手段】
【００１０】
本発明は、基地局と複数の移動局を有するデジタル無線システムにおいて、前記基地局は前記複数の移動局の各々から伝達される位置情報から、前記基地局からの情報を受信できない第１の移動局と該第１の移動局に近い第２の移動局とを判定し、該第２の移動局に対して所定期間自局の送信周波数を前記基地局の送信周波数に代えて予め決めた情報を前記第１の移動局に送信するよう指示し、指示を受けた前記第２の移動局は該情報を前記第１の移動局に送信することを特徴とする。
【発明の効果】
【００１１】
本発明によれば、基地局からの通信を受信できない移動局に対しても情報を送ることが可能なデジタル無線システムを得ることができる。
【発明を実施するための最良の形態】
【００１２】
本発明に係る実施の形態を、図１と図４と図５と図６を用いて詳細に説明する。
【００１３】
図１は、本発明に係るデジタル無線システムの実施の形態の構成を示す図である。図１は基地局３００の指示により、送信周波数を基地局３００の下り周波数ｆ１で送信を行っている移動局３０１と、基地局３００と移動局３０２の間にビルによる受信電界強度の劣化をおこしている移動局３０２と、受信電界強度の劣化をおこしていない移動局３０３と、基地ゾーンで受信電界強度が劣化する範囲３１０を表した例を図示したものである。
【００１４】
移動局３０１，３０２，３０３は、各々、受信電界強度を判定する手段と、自局位置を測定する手段と、測定した位置情報を基地局３００に伝達する手段と、基地局３００からの指示により自局の送信周波数を基地局３００の送信周波数に変えて送信できる手段とを有し、基地局３００は移動局３０１，３０２，３０３からの位置情報を管理する手段と、位置情報から移動局３０２−３０１間，移動局３０２−３０３間の遠近関係を判定する手段を有する。
【００１５】
基地局３００は、全ての移動局３０１，３０２，３０３の位置情報を管理し、一定時間間隔に更新する管理を行う。
【００１６】
移動局３０２は、図３の例では、自局と基地局３００の間にある構造物により生ずる、受信電界強度の劣化する範囲３１０にいて、一定期間位置情報の更新が行えない状態にある。基地局３００は自らが管理している移動局３０１，３０２，３０３の位置情報の更新状況をふまえ、一定期間、移動局３０２からの位置情報が更新されないことから、受信が出来ていないと判定する。また基地局３００は該移動局３０２に一番近い移動局３０１を位置情報から判定して、決定する。
【００１７】
このような状態において、基地局３００から何らかの情報をシステム内の移動局に伝達したい事象が発生した場合に、まず基地局３００は全移動局３０１，３０２，３０３宛に情報を送信する。続いて、個別呼出で、該移動局３０１に対して一定期間自局の送信周波数を基地局３００の送信周波数に変えて、予め決めた情報を送信するよう指示する。その移動局３０１は一定期間の送信の後、自立的に、周波数関係を元に戻し、受信状態に移行する。このことにより、指示を受けた移動局３０１は一定期間、該情報を、位置情報が変化しない移動局３０２に送信し、基地局３００が何らかの情報を通知したことを知らせる。
【００１８】
基地局３００の最初の情報が受信できなかった移動局３０２は、基地局３００の状態を認知はしていないが、受信電界強度の劣化と自局位置の情報により、基地ゾーン中であっても圏外状態であり、基地局３００からの受信が出来ないことは認知している。そのような状態の時に、基地局３００からの指示により、情報を送信している移動局３０１からの送信の受信電界強度が、基地局３００からのものより大きく入力され受信し、解析、確認することにより、基地局３００が情報を発しているかどうかを認知し、情報を移動局３０１から受信することができる。
【００１９】
図４は、基地局３００が送信する音声フレームの構成を示す図である。音声フレームを構成する要素は予め標準規格により規定されている。
【００２０】
図５は、図１で説明した基地局３００からの下り波と、移動局３０１からの上り波の時間軸上でみた、フレームの関係を明示した図である。図１で説明した、基地局３００から指示された移動局３０１は、周波数の変更を行った後に、下り波と上り波の関係を維持した上で、自局が送信するタイミングを、下り波のタイミングに合わせて送信を行う。
【００２１】
図６は、図４に示した標準規格でのＲＩＣＨチャネルのビット配置を示す図である。未定義６００はユーザに開放された部分で、この部分を使い、例えば、基地局３００からの情報であれば、ビット８，７を“００”とし、移動局３０１が基地局３００の指示で送信する場合、“１１”という設定にすることをシステム内で予め決めておく。
【００２２】
このことで、この部分を復調した移動局３０２は、基地局３００の指示を受けた移動局３０１からの受信であることを判定でき、それまで、基地局３００が送信するフレームを受信できる移動局３０１は、この復調したフレームは自局宛でないことを、個別呼出の不整合と合わせて認識することができる。また、基地局３００が送信するフレームを受信できない移動局３０２は個別呼出と合わせて、より確実に、認識することが出来る。
【００２３】
ここで、前述した標準規格では未定義部分がもう一つあり、例えば、この未定義６０１を利用して、基地局３００の情報を移動局３０１から移動局３０２へ伝達することが出来る。
【００２４】
以上説明したように、本実施の形態によれば、基地局がシステム内で位置情報が一定期間更新されない移動局を受信出来ない移動局と認識し、その移動局に情報を通知したい場合に、その移動局に一番近い移動局を選択して、個別に指示を出すことで、基地局が送信した情報を、この移動局を通じて送信することができる。これらは、基地局の指示に基づいて行われるもので、移動局運用者の操作を必要としない。
【図面の簡単な説明】
【００２５】
【図１】本発明に係るデジタル無線システムの実施の形態の構成を示す図である。
【図２】移動局の機能構成を示すブロック図である。
【図３】従来のデジタル無線システムの構成を示す図である。
【図４】本発明で利用する音声フレームの構成を示す図である。
【図５】本発明で利用する音声フレームのオフセットを示す図である。
【図６】本発明で利用する音声フレームでのＲＩＣＨチャネルのビット配置図を示す図である。
【符号の説明】
【００２６】
１０１：ＲＦ部、１０２：システム制御部、１０３：変復調部、１０４：チャネルコーデック部、１０５：音声コーデック部、１０６：音声入出力部、１０７：音声メモリ、２０１：ＬＣＤ表示部、２０２：ＬＥＤ表示部、２０３：キー入力部、２０４：ブザー部、２０５：振動モータ部、３００：基地局、３０１，３０２，３０３：移動局、６００，６０１：未定義領域。
【図１】
2006086923.tif 000003
【図２】
2006086923.tif 000004
【図３】
2006086923.tif 000005
【図４】
2006086923.tif 000006
【図５】
2006086923.tif 000007
【図６】
2006086923.tif 000008